(57)【特許請求の範囲】
【請求項１】
上下方向に連続するブラケット係止用の係止孔が穿設された支柱が左右に離隔されて配置され、これら両支柱の前後両方または一方に天板等を取付けるようにした作業台における配線ダクト装置であって、
前記支柱の係止孔に係合可能な係止爪を両端に有する枠部材を少なくとも２部材用意し、これら枠部材を相対向させて、それぞれの係止爪を前記両支柱の係止孔に係合させることにより、上部が開口する断面略コ字形もしくはＵ字形となる配線ダクトが一体に形成されるようになっていることを特徴とする作業台における配線ダクト装置。
【請求項２】
前記支柱が、前後に広い幅広部と、前後に狭い幅狭部とからなるとともに、該両支柱の幅狭部が対向するように配置され、幅狭部の上下方向に多数設けられた係止孔に前記枠部材の係止爪を係合させるようにして、前記配線ダクトが支柱の前後から突出しないように取付けられる請求項１に記載の作業台における配線ダクト装置。
【請求項３】
前記配線ダクトの上部開口を被覆する配線ダクトカバーが、配線ダクトの上部に取付けられている請求項１または２に記載の作業台における支柱構造。
【発明の詳細な説明】
【０００１】
【発明の属する技術分野】
本発明は、上下方向に連続するブラケット係止用の係止孔が穿設された支柱が左右に離隔されて配置され、これら両支柱の前後両方または一方に天板等を取付けるようにした作業台における配線ダクト装置に関する。
【０００２】
【従来の技術】
従来から、左右に離隔するとともに、前後面に上下方向に連続する係止孔を複数穿設された支柱の両方または一方に、前記係止孔に係止されたブラケットを介して天板等を取付けるようにした作業台があり、この作業台における左右の支柱間にコード類を収容する配線ダクトを設けることがある。
【０００３】
このような配線ダクトを取付ける場合、横長の配線ダクトの左右端部を、支柱の内方側面に溶着して取付けたり、配線ダクトの左右端部に取付片を設け、該取付片と支柱の内方側面とをボルト等で締結することにより取付けていた。
【０００４】
【発明が解決しようとする課題】
しかしながら、上述のようにして作業台の左右支柱間に配線ダクトを取付ける場合、前者においては、取付けに手間を要するうえ、一度取付けるとその取外しは不可能となり、後者においては、係脱可能に取付けられているが、その取付け及び取外しには、非常に手間のかかる作業を要した。
【０００５】
本発明は、このような問題点に着目してなされたもので、左右に離隔した支柱の間に容易に係脱し移動等を自由に行える作業台における配線ダクト装置を提供することを目的とする。
【０００６】
【課題を解決するための手段】
上記課題を解決するために、本発明の作業台における配線ダクト装置は、上下方向に連続するブラケット係止用の係止孔が穿設された支柱が左右に離隔されて配置され、これら両支柱の前後両方または一方に天板等を取付けるようにした作業台における配線ダクト装置であって、
前記支柱の係止孔に係合可能な係止爪を両端に有する枠部材を少なくとも２部材用意し、これら枠部材を相対向させて、それぞれの係止爪を前記両支柱の係止孔に係合させることにより、上部が開口する断面略コ字形もしくはＵ字形となる配線ダクトが一体に形成されるようになっていることを特徴としている。
この特徴によれば、配線ダクトは、それぞれの枠部材の対向配置で支柱に容易に構成でき、また、それぞれの枠部材の係止爪を支柱における所望の係止孔に係合させることで両支柱間に取付けられているので、これら各枠部材を、支柱に対して必要に応じて容易に係脱または移動させることができる。
【０００７】
本発明の作業台における配線ダクト装置は、前記支柱が、前後に広い幅広部と、前後に狭い幅狭部とからなるとともに、該両支柱の幅狭部が対向するように配置され、幅狭部の上下方向に多数設けられた係止孔に前記枠部材の係止爪を係合させるようにして、前記配線ダクトが支柱の前後から突出しないように取付けられることが好ましい。
このようにすれば、各ダクト部材が支柱の幅広部より前後に突出しないように取付けることが可能となり、配線ダクトを、支柱の幅広部の前後両方または一方に取付けられた天板等と同じ高さに取付けることができる。
【０００８】
本発明の作業台における配線ダクト装置は、前記配線ダクトの上部開口を被覆する配線ダクトカバーが、配線ダクトの上部に取付けられていることが好ましい。
このようにすれば、配線ダクトの上部開口が配線ダクトカバーにより被覆され、その内部に収容されたコード類が隠蔽されるので外観が良くなるばかりか、この配線ダクトカバーが両枠部材を上方から支持するため、配線ダクトが補強される。
【０００９】
【発明の実施の形態】
以下、本発明の第１実施例を図面に基づいて説明すると、図１には、本発明における配線ダクト装置が適用された作業テーブル１の要部が示されており、この作業テーブル１は、左右に離間した支柱２と、この支柱２に対してブラケット３を介して、前後に取付けられる天板４と、これら天板４の間に取付けられる配線ダクト５と、この配線ダクト５の上面を覆う配線ダクトカバー６とから主に構成されている。
【００１０】
支柱２は、図２及び図３に示されるように、スチール材等を折曲げ成形してなり、側壁となる基片２ｃと、この基片２ｃの両側から対向する支柱２方向に延びる第１前後片２ａと、これら第１前後片２ａの先端から基片２ｃとほぼ平行に内方へと延びる中間片２ｅとからなる幅広部と、これら中間片２ｅの先端から対向する支柱２方向に延びる第２前後片２ｂと、これら第２前後片２ｂの先端から内方に再度折り返された補強片２ｄとからなる幅狭部と、から構成された内部が中空の断面略凸状となるように形成されている。
【００１１】
第１前後片２ａ及び第２前後片２ｂには、ブラケット３、配線ダクト５にそれぞれ形成された係止爪に係合可能な係止孔７、８が上下方向に複数穿設されている。
【００１２】
また、基片２ｃには、大寸の配線孔９（図１参照）が設けられており、この配線孔９を介してコード類Ｃを挿通して配線ダクト５内にコード類Ｃを収容できるようになっている。
【００１３】
図２〜図４に示されるように、配線ダクト５は、左右幅が対向する両支柱２における補強片２ｄ同士の離間幅とほぼ同寸の底面板１０ａと側面板１０ｂとから断面略Ｌ字形に形成された１対の枠部材１０、１０で構成される。
【００１４】
各枠部材１０における側面板１０ｂの上端辺には、内向きに屈曲する屈曲片１０ｃが設けられているとともに、その左右端部には、前後の係止孔８に係合可能な係止爪１０ｅが内向きに形成された係止片１０ｄが下方に延びるように設けられている。
【００１５】
これら各枠部材１０の係止爪１０ｅを、支柱２の第２前後片２ｂにおける同高さ位置の係止孔８にそれぞれ前後から係合することで、上方が開口する断面略コ字形の一体化した配線ダクト５が形成され、内部にコード類Ｃが収容できるようになる。
【００１６】
配線ダクトカバー６は、左右幅が左右の支柱２における中間片２ｅ同士の離間幅とほぼ同寸に形成されており、その左右端部には、支柱２の幅狭部に嵌合可能な切欠き６ｄが形成されている。
【００１７】
配線ダクトカバー６の前後の端縁から下向きに屈曲する屈曲片６ａ下端部には、上方に屈曲する折り返し片６ｂが形成されているため、配線ダクトカバー６は、これら折り返し片６ｂの間に配線ダクト５の側面板１０ｂの上縁を挟み込むようにして、配線ダクト５の上部に載置される。
【００１８】
この時、配線ダクトカバー６の左右の切欠き６ｄが、支柱２の幅狭部へ嵌合されるので、配線ダクト５に対する前後左右方向のがたつきが抑制されるようになっている。
【００１９】
図４中１１は、金属部材からなる外れ止め部材であり、左右端部に前後の係止孔８にそれぞれ係合可能な係止部１１ａと、取付け時に配線ダクトカバー６の上面に当接する当接片１１ｂとを有し、上面視略コ字形に形成されている。
【００２０】
外れ止め部材１１は、係止部１１ａを支柱２の係止孔８に係合することで、支柱２に一体的に取付けられるため、当接片１１ｂの面圧により配線ダクトカバー６の上下のがたつきや上方への逸脱が防止される。
【００２１】
ブラケット３は、後端に係止孔８に係合可能な係止爪３ａが上下方向に複数設けられており、内方に折り返され折曲片には挿通孔３ｂが穿設されている。
【００２２】
ブラケット３は、その係止爪３ａを係止孔７に係合することで支柱２に取付けできるようになっており、このブラケット３の上部に天板４を載置した後、下方から固定ねじ３ｃを挿通孔３ｂを介して天板４に螺入することで、ブラケット３と天板４とが一体に固定される。これにより、支柱２に取付けられた天板４が適宜作業板として利用可能となる。
【００２３】
この時、配線ダクト５が取付けられた係止孔８とほぼ同じ高さの係止孔７にブラケット３を係合させることで、天板４の上面と配線ダクトカバー６の上面とが面一となるように取付けることができるようになっている。
【００２４】
以上のように構成された作業台における配線ダクト装置にあっては、一対の枠部材１０を支柱２の前後から相対向させるようにして、係止爪１０ｅを前後の係止孔８に係合させることで一体化され、上部が開口する断面略コ字形となる配線ダクト５が形成されるようになっているので、配線ダクト５を支柱２に容易に構成できる。
【００２５】
また、配線ダクト５は、それぞれの枠部材１０の係止爪１０ｅを支柱２における所望の係止孔８に係合させることで、両支柱２間に取付けられているので、これら各枠部材１０を、支柱２に対して必要に応じて容易に係脱または移動させることができる。
【００２６】
また、本実施例における支柱２は、断面略凸状に形成されており、その幅狭部の係止孔８を介して配線ダクト５を取付けるため、支柱２の前後にブラケット３を介して取付けられた天板４と同じ高さに取付けることができる。
【００２７】
また、配線ダクト５の上部には、その上部開口を被覆するように配線ダクトカバー６が載置されており、配線ダクト５の内部に収容されたコード類Ｃが隠蔽されるので外観が良くなるばかりか、この配線ダクトカバー６の折り返し片６ｂが両枠部材１０の上縁を上方から挟み込むように支持するため、配線ダクト５が補強される。
【００２８】
以上、本発明の実施例を図面により説明してきたが、具体的な構成はこれら実施例に限られるものではなく、本発明の要旨を逸脱しない範囲における変更や追加があっても本発明に含まれる。
【００２９】
例えば、上記実施例において、配線ダクト５は上方に開口する断面略コ字形となるように形成されているが、少なくとも配線ダクト内部にコード類Ｃを収容できる形状であれば良く、例えば、上方に開口する断面略Ｕ字形に形成されていても良い。
【００３０】
さらに、配線ダクト５は、断面略Ｌ字形に形成された同形状の枠部材１０、１０を対向させることにより構成されているが、両枠部材は同形状に形成されている必要はなく、少なくとも対向配置した際に、配線ダクトが構成されれば良い。
【００３１】
また、配線ダクト５を取付ける支柱２は、幅広部と幅狭部とからなる断面略凸状となるように形成されているが、少なくともその前後に枠部材の係止爪が係合可能な係止孔が上下方向に多数穿設されている支柱であれば、その断面形状は種々に変形可能である。
【００３２】
【発明の効果】
本発明は以下の効果を奏する。
【００３３】
（ａ）請求項１項の発明によれば、配線ダクトは、それぞれの枠部材の対向配置で支柱に容易に構成でき、また、それぞれの枠部材の係止爪を支柱における所望の係止孔に係合させることで、両支柱間に取付けられているので、これら各枠部材を、支柱に対して必要に応じて容易に係脱または移動させることができる。
【００３４】
（ｂ）請求項２項の発明によれば、各ダクト部材が支柱の幅広部より前後に突出しないように取付けることが可能となり、配線ダクト装置を、支柱の幅広部の前後両方または一方に取付けられた天板等と同じ高さに取付けることができる。
【００３５】
（ｃ）請求項３項の発明によれば、配線ダクトの上部開口が配線ダクトカバーにより被覆され、その内部に収容されたコード類が隠蔽されるので外観が良くなるばかりか、この配線ダクトカバーが両枠部材を上方から支持するため、配線ダクトが補強される。
【図面の簡単な説明】
【図１】本発明の配線ダクト装置が適用された作業台を示す斜視図である。
【図２】配線ダクト装置の分解図である。
【図３】支柱に配線ダクト装置を取付けた状態を示す一部破断図である。
【図４】図３のＩ−Ｉ断面図である。
【符号の説明】
１        作業台
２        支柱
２ａ      第１前後片
２ｂ      第２前後片
２ｃ      基片
２ｄ      補強片
２ｅ      中間片
３        ブラケット
３ａ      係止爪
３ｂ      挿通孔
４        天板
５        配線ダクト
６        配線ダクトカバー
６ａ      屈曲片
６ｂ      折り返し片
７、８    係止孔
９        配線孔
１０      枠部材
１０ａ    底面板
１０ｂ    側面板
１０ｃ    屈曲片
１０ｄ    係止片
１０ｅ    係止爪
１１      抜け止め部材
１１ａ    係止部
１１ｂ    当接片
１２      脚部
Ｃ        コード類
【図１】
0004271784.tif 000002
【図２】
0004271784.tif 000003
【図３】
0004271784.tif 000004
【図４】
0004271784.tif 000005